(57)【要約】【課題】光軸方向に進退可能に支持された可動群からのフレキシブル配線板を用いた電気配線方法において、ガイド板等の別部品を用いるとこなく、Ｕターン曲げ部をもつフレキシブル配線板を簡単に位置決め・保持できることを可能にしたレンズ鏡筒内の電気配線方法を提供すること。【解決手段】レンズ鏡筒内で光軸方向に進退可能に支持された可動鏡筒の外周と、固定筒の内周の間に配置されたＵターン曲げ部を持つフレキシブル配線板の、該固定筒への位置決め方法として、固定筒部材の内周から貫通穴を通って外周に抜けるとともに、該フレキシブル配線板に設けた幅広部の端面が該固定筒の外周側に突出した突部の端面と光軸方向に当接させた後、該フレキシブル配線板の一部を固定筒内周に固定することで、Ｕターン部をもつ該フレキシブル配線板が固定筒内周に位置決めされることを特徴とする構成とした。【選択図】  図１
2015203818.tif 000002
【特許請求の範囲】
【請求項１】
レンズ鏡筒内の固定筒部材と、該固定筒部材の内周側で光軸方向に進退可能に支持された可動鏡筒と、一端を可動鏡筒の外周に固定され、可動鏡筒外周側にＵターン状にたるみ部を張り出させて配置され、他端は該固定筒の内周に固定され、該可動鏡筒側に１８０°折り曲げられた先で該Ｕターン状のたるみ部と繋がるように配置されたフレキシブル配線板を有するレンズ鏡筒であり、該固定筒部材は内周から外周に抜ける貫通穴と、該貫通穴の近傍に光軸と直交方向に突出した突起部を有し、該フレキシブル配線板の該１８０°折り曲げ部近傍に該フレキシブル配線板の幅広部を有しており、該固定筒部材の内周側から該貫通穴を通過した該フレキシブル配線板の該幅広部の端面が該突起部の端面に当接して該フレキシブル配線板と固定筒部材の光軸方向の位置決めを行なうことを特徴とするレンズ鏡筒。
【請求項２】
フレキシブル配線板において、該幅広部から該固定筒部材内周に当接する範囲に補強板が一体的に配置されていることを特徴とする請求項１に記載のレンズ鏡筒。
【請求項３】
固定筒部材において、該突起部の該フレキシブル配線板の幅広部端面が当接する面と光軸方向に反対側の面にはフレキシブル配線板の組込み用の斜面を有することを特徴とする請求項１又は請求項２に記載のレンズ鏡筒。
【発明の詳細な説明】
【技術分野】
【０００１】
本発明は、固定筒と可動部材を備え、可動部材に電子部品が搭載されていて、固定筒と可動部材上の電子部品との間をフレキシブル配線板で電気的に接続したレンズ鏡筒、及びそのレンズ鏡筒を備えた撮像装置に関するものである。
【背景技術】
【０００２】
従来一般的に、レンズ鏡筒は、ズーム機能やフォーカス機能等を発揮するために１以上の固定筒と１以上の光軸方向へ進退可能に支持された可動筒を備えている。これらの固定筒や１以上の可動筒には１又は複数のレンズが固定又は移動可能に支持されている。又、１以上の可動筒は該レンズと一緒にフォーカス用モータや自動絞りのための駆動モータや制御のための位置検出部等の電子部品が搭載されている。
【０００３】
該固定筒側は、カメラと電気的に接続するための電気接点や該電子部品の制御のための制御基板を保持している。該電子部品を動作させるためには該制御基板と電気的に接続される必要があるが、限られた配線スペースの関係から、フレキシブル配線板を用いることが一般的となっている。この時にフレキシブル配線板の中途部をＵ字状に湾曲させて配線し、そのＵターン部分でフレキシブル配線板の長さ変化を吸収して、固定筒と可動筒との間の相対的移動を可能に構成する方法がよく用いられている。
【０００４】
上述したレンズ鏡筒としては、特許文献１では、図１に示す通り、光軸方向に移動可能に支持された第２レンズ保持筒１６に搭載された絞り装置２２にフレキシブル配線板２４の一端が配線されている。該フレキシブル配線板２４は途中にＵターン部を持ちながら固定筒であるＣＣＤホルダー１まで配線されている。
【０００５】
該ＣＣＤホルダー１にはフレキ押え板２５が固定され、該フレキ押え板２５は該フレキシブル配線板２４の保持と、Ｕターン部が所定のスペースに収まるようガイドとして機能している。
【０００６】
特許文献２では、図４に示す通り、固定筒１８とその内側で光軸方向に進退可能に支持された３群レンズユニット１０と、該３群レンズユニットに内蔵される像ブレ補正ユニットで構成されている。フレキシブル配線板８３は該像ブレ補正ユニットとマウント２１近傍に配置された電気回路基板とを電気的に接続している。
【０００７】
該フレキシブル配線板８３は中途位置にＵターン曲げ部を有し、固定筒内周部ではフレキガイド８２が係合固定されると共にフレキシブル配線板を押え固定している。
【先行技術文献】
【特許文献】
【０００８】
【特許文献１】特開２００３−３０７６６７号公報
【特許文献２】特開２０１１−２３７５９４号公報
【発明の概要】
【発明が解決しようとする課題】
【０００９】
しかしながら、上述の特許文献１及び２に記載されたＵターン曲げ部を持つフレキシブル配線板を位置決めし保持するためにはガイド板等の別部品が必要であり、該ガイド板等の厚みや該ガイド板等の固定筒への固定手段などを考慮した鏡筒内のスペースが必要になる。また、ガイド板等が必要な分で部品コストが増加してしまう。
【００１０】
そこで、本発明の目的は、光軸方向に進退可能に支持された可動群からのフレキシブル配線板を用いた電気配線方法において、ガイド板等の別部品を用いるとこなく、Ｕターン曲げ部をもつフレキシブル配線板を簡単に位置決め・保持できることを可能にしたレンズ鏡筒内の電気配線方法を提供することである。
【課題を解決するための手段】
【００１１】
上記目的を達成するための本発明に係るレンズ鏡筒の構成は、
固定筒と、
その固定筒の内径側で相対的に光軸方向に移動可能に支持された可動部材と、
固定筒と可動部材との間に、Ｕ字状に曲げられて掛け渡されるフレキシブル配線板と、
該固定筒には、内周面にフレキシブル配線板を貼り付け固定するための内周棚面を有し、該内径棚面の延在先に内周から外周に抜ける穴部と、該穴部に連なり該内径棚面と光軸方向反対側に該固定筒の外周に開いた外周棚部を有し、
該フレキシブル配線板には、Ｕ字状に曲げられたＵターン部と、該Ｕターン部の一端は可動部材に固定され、他端は１８０度折り返されるとともに近傍に幅広部を有し、
該固定筒の外周棚部と該フレキシブル配線板の幅広部が係合する構成としたことを特徴とする。
【発明の効果】
【００１２】
本発明によれば、光軸方向に進退可能に支持された可動群からのフレキシブル配線板を用いた電気配線方法において、ガイド板等の別部品を用いるとこなく、Ｕターン曲げ部をもつフレキシブル配線板を簡単に位置決め・保持できることを可能にしたレンズ鏡筒内の電気配線方法を提供することができる。
【図面の簡単な説明】
【００１３】
【図１】本発明を実施した、１眼レフカメラに取り付ける交換レンズの、光軸ＡＡを含む平面で切った断面図である。
【図２】図１に示した交換レンズをズーミング操作を行ない移動鏡筒を光軸方向に移動した状態を示す光軸ＡＡを含む平面で切った断面図である。
【図３−１】図１に示した交換レンズ鏡筒のうち、該固定筒へのフレキシブル配線板の固定状態を示す斜視図である。
【図３−２】図１に示した交換レンズ鏡筒のうち、該固定筒へのフレキシブル配線板の固定状態を示す斜視図である。
【図４】本発明のＵターン曲げ部を持つフレキシブル配線板の、組込み手順を説明した模式図であり（１）から（５）までを組込み順に状態を表した図である。
【発明を実施するための形態】
【００１４】
以下に、本発明の好ましい実施の形態を、添付の図面に基づいて詳細に説明する。図１は、本発明の実施形態にかかわる一眼レフカメラに取り付ける交換レンズ鏡筒の光軸を含む断面図である。本発明を説明するために必要な部品のみ表記するものとする。
【実施例】
【００１５】
以下、図１を参照して、本発明の第１の実施例による、Ｕターン曲げ部をもつフレキシブル配線板を簡単に位置決め・保持できることを可能にしたレンズ鏡筒内の電気配線方法について説明する。
【００１６】
１はレンズマウントであり、本断面図の向かって右側に不図示の一眼レフカメラに本交換レンズ鏡筒を着脱可能に保持するための部材である。２は固定筒であり、該交換レンズ鏡筒の基本的な構造部材である。該マウント１は該固定筒２の２ａ部にビス等により一体的に保持される。３は電気回路基板であり、該交換レンズ内のフォーカスレンズ駆動用のモータや自動絞りのための駆動モータなどの制御回路や、該カメラ本体と通信するマイコンなど電気回路部品が実装されている。
【００１７】
４はズーム操作環であり、該固定筒に径嵌合すると共に光軸中心に回転可能に支持されている。４ａは周方向に延在する周溝である。該固定筒の２ｂ部は固定筒外周から突出した固定コロである。該固定コロ２ｂと該ズーム操作環の周溝４ａに光軸方向の幅で係合する。これにより、該ズーム操作環４は該固定筒２の外周で光軸周りに回転可能に支持される。
【００１８】
５は移動鏡筒であり、内径に移動レンズ６を保持している。７は移動鏡筒５にビス等で支持された電磁絞りであり、７ａは駆動モータである。８はフレキシブル配線板であり、該駆動モータ７ａに一端を電気的に接続され、他端を該電気回路基板３に電気的に接続されている。
【００１９】
該移動鏡筒５にはその外周に突出した５ａ部を有し、該固定筒２に設けられた、光軸に平行に延在する直進溝２ｃと幅方向で係合する。また該移動鏡筒５の突出部５ａの径大部にはカムフォロア９がビス等により固定されている。該ズーム操作環４の内周にはカム溝４ｂが設けられ、該カムフォロア９が溝幅方向に係合されている。以上の構成により、該固定筒２に対し該ズーム操作環４が光軸中心に回転した場合、該移動鏡筒５の突出部５ａと該固定筒２の直進溝２ｃが係合し、該カムフォロア９が該ズーム操作環４のカム溝４ｂと係合した結果、該移動鏡筒５が光軸方向に進退移動する。該移動鏡筒５が光軸方向に移動すると、該レンズ６及び電磁絞り７も一体的に移動する。
【００２０】
次にフレキシブル配線板８の配置について説明する。８ａ部は該駆動モータ７ａに電気的に接続されている。８ｂ部で移動鏡筒５の内周側に配線され、８ｃ部で該移動鏡筒５の外周部５ｂに設けられた平面部に接着固定されている。８ａ部から８ｃ部まではズーミング操作を行なっても移動鏡筒５と一体的に移動する。８ｄ部は円弧状に曲げられたＵターン部であり、ズーミング操作により曲げ位置が変化する。８ｅ部は１８０°方向に向きを変えた折り曲げ部である。８ｆ部は該フレキシブル配線板８の幅を広げた幅広部である。８ｇ部は該固定筒の内周に設けられた平面部２ｄに沿って配置された直線部であり、該平面部２ｄに取り付けた両面テープ１０により固定筒と一体に固定される。８ｈ部はコネクタ端子部であり、該電気回路基板３上のコネクタ１１に挿入されている。以上の経路を通して、該駆動モータ７ａは該電気回路基板３と電気的に接続して駆動制御される。
【００２１】
図３−１、図３−２は該フレキシブル配線板の８ｄ部、８ｅ部が固定筒に取り付けられた状態を表した図である。固定筒には内周に設けられた該平面部２ｄと、光軸周りに同一の位相で該固定筒の外周から凹状に設けられた平面部２ｅ部と、該２ｄ部と該２ｅ部の重なった位置に貫通穴２ｆ部が設けられている。該２ｅ面上には外径側に突出した２ｇ部、２ｈ部を有し、該２ｇ部と該２ｈ部の光軸方向の距離が該フレキシブル配線板の幅広部８ｆと同じか、若干大きく設定されている。該２ｇ部及び２ｈ部には該貫通穴２ｆ部側に斜面が設けられている。また、該平面部２ｄ、２ｅ、２ｆの長手方向に直交する幅は、該フレキシブル配線板の８ｆ部よりも大きくなっている。
【００２２】
図４は該固定筒に該フレキシブル配線板を組込み固定する手順を説明する、光軸を含む断面図である。上記作業の前に、固定筒、ズーム操作環、移動鏡筒が組まれており、図中右側の固定筒の内周からフレキシブル配線板が組み込まれる。
【００２３】
該フレキシブル配線板の折り曲げ部８ｅをガイドにして貫通穴２ｆから２ｅ面方向に挿入する。該フレキシブル配線板の幅広部８ｆが２ｇ部に設けられた斜面に当接しながら更に挿入される。該幅広部８ｆが２ｇ部を通り過ぎた状態で、該フレキシブル配線板を逆方向に移動させる。該フレキシブル配線板は図中右側に移動しながら、幅広部８ｆは２ｇ部と２ｈ部の間に引っ掛かる。（４）の状態で固定筒の平面部２ｄに該両面テープ１０により該フレキシブル配線板の８ｇ部を固定することで、該フレキシブル配線板８の固定が完了する。
【００２４】
該フレキシブル配線板８のうち、８ｆ、８ｇ部に補強板１２を一体的に設けておくことで、上記作業をより簡単に行なうことが可能である。また、上記作業は固定筒の外周側が該ズーム操作環に覆われていても、該フレキシブル配線板を挿脱する際の引っ掛かり感で位置を判断可能であるため、組込み可能である。また、両面テープ１０の接着力のみで該Ｕターン部を持つフレキシブル配線板を保持し、ズーミング作動でも問題無く作動させることが可能なので、費用がかからずコストメリットが大きい。
【００２５】
以上、本発明の好ましい実施形態について説明したが、本発明はこれらの実施形態に限定されず、その要旨の範囲内で種々の変形及び変更が可能である。
【００２６】
本発明は、一眼レフカメラに装着される交換レンズ鏡筒のうち、内部の可動部分まで電気配線が必要な構成の装置に広く利用可能である。
【符号の説明】
【００２７】
１・・レンズマウント、２・・固定筒、２ａ・・マウント取付面、
２ｂ・・固定コロ、２ｃ・・直進溝、２ｄ・・内周平面部、２ｅ・・外周平面部、
２ｆ・・貫通穴、２ｇ・・突出部、２ｈ・・突出部、３・・電気回路基板、
４・・ズーム操作環、４ａ・・周溝、４ｂ・・カム溝、５・・移動鏡筒、
５ａ・・カムフォロア取付足部、６・・移動レンズ、７・・電磁絞り、
７ａ・・駆動モータ、８・・フレキシブル配線板、８ａ・・駆動モータ接続部、
８ｂ・・移動鏡筒内周配線部、８ｃ・・移動鏡筒外周平面部、８ｄ・・Ｕターン部、
８ｅ・・１８０°折り曲げ部、８ｆ・・幅広部、８ｇ・・直線部、
８ｈ・・コネクタ端子部、９・・カムフォロア、１０・・両面テープ、
１１・・コネクタ、１２・・補強板
【図１】
2015203818.tif 000003
【図２】
2015203818.tif 000004
【図３−１】
2015203818.tif 000005
【図３−２】
2015203818.tif 000006
【図４】
2015203818.tif 000007